(57)【要約】      （修正有）【課題】安全プッシュプル構造を備える傘手元を提供する。【解決手段】手元ハウジングに収容部を備え、手元内部受け台に凹み溝を備え、内部スライダーを凹み溝に設け、かつ内部スライダーの底部に内部スライダー戻りばねを設ける。内部スライダーはＵ字型を形成し、Ｕ字型の開口部は２つの傾斜面であり、Ｕ字型の内部底面にそれぞれほぞが設けられている。内部スライダーのＵ字型の２つの外面にラグをそれぞれ設け、２つのラグは凹み溝の両側のラグに呼応するほぞ穴に組み込む。中央部スライダーの底面に２つの三角くさびが設けられ、２つの三角くさびの傾斜面は、Ｕ字型の２つの傾斜面にそれぞれ密着させる。手元内部受け台アセンブリは手元ハウジングに備える収容部に固着させ、かつ中央部スライダーを手元ハウジングの貫通孔に合わせ、中央部スライダーは貫通孔の対応位置に、外部スライダーが設けられている。【選択図】図１
0003162176.tif 000002
【実用新案登録請求の範囲】
【請求項１】
安全プッシュプル構造を備える傘手元であって、手元ハウジングと、手元内部受け台と、内部スライダーと、内部スライダー戻りばねと、中央部スライダーと外部スライダーとを含み、前記手元ハウジングに収容部を備え、前記手元内部受け台に凹み溝を備え、前記内部スライダーは前記凹み溝に設けられ、前記内部スライダの底部に前記内部スライダー戻りばねが設けられ、前記内部スライダーはおおむねＵ字型を形成し、前記Ｕ字型の開口部は２つの傾斜面を有し、前記Ｕ字型の内部底面は下ろくろの穴に組み込むためのほぞが設けられ、前記内部スライダーのＵ字型の２つの外面にラグをそれぞれ設け、２つの前記ラグは前記凹み溝の両側に前記ラグと呼応する前記ほぞ穴に組み込むことによって、前記内部スライダーを前記凹み溝に固定させ、前記中央部スライダーの底面に２つの三角くさびが設けられ、２つの前記三角くさびに備える傾斜面はＵ字型に備える２つの前記傾斜面に密着させ、前記手元内部受け台、前記内部スライダー、前記内部スライダー戻りばねと前記中央部スライダーによって手元内部受け台アセンブリが形成され、前記手元内部受け台アセンブリは前記手元ハウジングの前記収容部に収容され、かつ中央部スライダーを前記手元ハウジングの前記貫通孔に合わせ、前記中央部スライダーは貫通孔に合わせた位置に外部スライダーが設けられ、前記外部スライダーの両端に延長部をそれぞれ設け、前記外部スライダーの外形寸法は、前記貫通孔の外形寸法より大きく設ける。
【請求項２】
前記中央部スライダーの後端に中央部スライダー戻りばねが設けられていることを特徴とする請求項１記載の安全プッシュプル構造を備える傘手元。
【請求項３】
前記中央部スライダーの前端に中央部スライダー前端戻りばねが設けられていることを特徴とする請求項１または請求項２記載の安全プッシュプル構造を備える傘手元。
【請求項４】
前記手元内部受け台の後端は、前記収容部に備える前記延長部に一致する尾部延長部が設けられていることを特徴とする請求項１、２または請求項３記載の安全プッシュプル構造を備える傘手元。
【請求項５】
前記手元内部受け台アセンブリはねじ孔によって、ねじを前記手元ハウジングに備える前記収容部に固定させることを特徴とする請求項４記載の安全プッシュプル構造を備える傘手元。
【請求項６】
前記外部スライダーの底面は、少なくとも一つの前記フックつばが設けられ、前記フックつばは前記中央部スライダーのフック穴に引っ掛けられていることを特徴とする請求項５記載の安全プッシュプル構造を備える傘手元。
【請求項７】
前記フックつばは２つのであることを特徴とする請求項６記載の安全プッシュプル構造を備える傘手元。
【考案の詳細な説明】
【技術分野】
【０００１】
本考案は一種の傘手元に関し、特に安全プッシュプル構造を備える傘手元に関する。
【背景技術】
【０００２】
従来の自動展開機能の雨傘は、自動展開の手元が取り付けられている。この種の手元は収容部を備える手元ハウジングと、手元内部受け台と、内部スライダーと、内部スライダー戻りばねとを含む。手元内部受け台に凹み溝を備え、該内部スライダー戻りばねおよび内部スライダーの順に該凹み溝に取り付けられ、内部スライダーはＵ字型を形成し、該Ｕ字型内側の底面は下ろくろの穴に組み込むためのほぞ（ｔｅｎｏｎ）が設けられ、Ｕ字型に備える２つの外面に手元内部受け台のほぞ穴に組み込むためのラグが設けられ、ラグとほぞ穴とを組み合わせて、内部スライダーを該手元内部受け台の凹み溝に固定することができる。手元内部受け台および内部スライダーを組み立てた上、これらを併せて手元ハウジングの収容部に固定し、内部スライダーを手元ハウジングの貫通孔に照準された後、内部スライダーの上部に外部ボタンを設ける。通常は安全装置として、該外部ボタンは手元ハウジングの貫通孔に位置し、傘を閉じた状態で外部ボタンを押し下げて、内部ボタン上に設けられたほぞと、下ろくろの穴が完全に切り離すまで、内部スライダー下方に移動させ、雨傘はすばやく展開される。
【考案の概要】
【考案が解決しようとする課題】
【０００３】
しかし、雨傘を閉じた状態のとき、誤って外部ボタンが押されたとき、または不注意により外部ボタンが異物にぶつかったとき雨傘は展開される。さらに、この展開の力量が大きいため、展開された雨傘は周りにいる人や物品にぶつかり、人に怪我または物品損害の恐れがある。
【課題を解決するための手段】
【０００４】
本考案の目的は外部ボタンを誤って押されるや、またはタッチされた場合であっても傘は自動展開されない、一種の安全プッシュプル構造を備える傘手元を提供する。
【０００５】
前記目的を達成するため、本考案で使用される手段は、一種の安全プッシュプル構造を備える傘手元を設計し、主に手元ハウジングと、手元内部受け台と、内部スライダー内部スライダー戻りばねと、中央部スライダーとを含む。そのうち、手元ハウジングに収容部を備え、該手元内部受け台に凹み溝を備え、該内部スライダーは該凹み溝に取付けられ、内部スライダーの底部に内部スライダー戻りばねが設けられ、該内部スライダーは、おおむねＵ字型を形成し該Ｕ字型の開口部に２つの傾斜面を有する。該Ｕ字型の内部底面に下ろくろの穴を組み込むためのほぞが設けられ、該内部スライダーのＵ字型の２つの外面にラグをそれぞれ設ける。該２つのラグは該凹み溝の両側と該ラグに呼応するほぞ穴に組み込み、内部スライダーを該凹み溝に固定させる。該中央部スライダーの底面に２つの三角くさびが設けられ、２つの該三角くさびの傾斜面は該Ｕ字型に備える２つの傾斜面に密着させる。該手元内部受け台と、内部スライダーと、内部スライダー戻りばねと中央部スライダーとを手元内部受け台アセンブリを構成する。該手元内部受け台アセンブリは該手元ハウジングの収容部に固着させ、かつ中央部スライダーを手元ハウジングの貫通孔に合わせる。該中央部スライダーが貫通孔に合わせた場所に外部スライダーが設けられ、該外部スライダーの両端に延長部をそれぞれ設けることによって、外部スライダーの外形寸法を貫通孔の寸法より大きく設ける。
【０００６】
本考案による改善手段は、該中央部スライダーの後端に中央部スライダー後端戻りばねが設けられ、該中央部スライダーの前端に中央部スライダー前端戻りばねが設けられている。
【０００７】
本考案によるさらなるの改善手段は、該手元内部受け台の後端に収容部の延長部に一致した尾部延長部が設けられている。
【０００８】
該手元内部受け台アセンブリは、ねじ孔にねじをつらぬいて、該手元ハウジングの収容部に締め付けられている。
【０００９】
外部スライダーの底面に少なくとも一つのフックつばが設けられ、該フックつばは中央部スライダーの内部に設けられている。
【考案の効果】
【００１０】
本考案を適用すれば、外部ボタンを誤って押されたか、またはタッチされたときも、傘は自動展開されない長所を有し、長傘または折り畳み傘に適用できる。
【図面の簡単な説明】
【００１１】
【図１】本考案の一実施例の立体分解構造態様図である。
【図２】図１の断面視構造態様図であり、傘が閉じられた状態を示す。
【図３】図１の断面視平面構造態様図であり、傘が開けられた状態を示す。
【図４】本考案もう一つの一実施例の立体分解構造態様図である。
【図５】図４の断面視構造態様図であり、傘が閉じられた状態を示す。
【図６】図４の断面視平面構造態様図であり、傘が開けられた状態を示す。
【図７】本考案一つの使用状態の構造態様図であり、傘が開けられた状態を示す。
【図８】本考案もう一つの使用状態の使用構造態様図であり、傘が閉じられた状態を示す。
【考案を実施するための形態】
【００１２】
以下は図式を参照し、本考案を詳細説明する。
【実施例１】
【００１３】
図１、本考案の安全プッシュプル構造を備える傘手元を参照する。主に手元ハウジング１と、手元内部受け台２と、内部スライダー３と、内部スライダー戻りばね４と、中央部スライダー５と外部スライダー６とを含む。該手元ハウジング１は収容部１１を有する。該手元内部受け台２は凹み溝２１を有し、内部スライダー３は該凹み溝２１に設けられ、該内部スライダー３の底部に該内部スライダー戻りばね４を設け、該内部スライダー３はおおむねＵ字型を形成し、該Ｕ字型の開口部は２つの傾斜面３３を有する。該Ｕ字型の底面に下ろくろに設けられた穴に組み込むほぞ３１が設けられ、該内部スライダー３のＵ字型の外面にラグ３２が設けられ、２つの該ラグ３２は凹み溝２１の両側に、該ラグ３２と呼応するほぞ穴２２に組み込むことにより、内部スライダー３を該凹み溝２１に固定させる。該中央部スライダー５の底面に２つの三角くさび５１が設けられ、該三角くさび５１の傾斜面５１１は該Ｕ字型に備える２つの傾斜面３３にそれぞれ密着させる。該手元内部受け台２と、内部スライダー３と、内部スライダー戻りばね４と中央部スライダー５とを手元内部受け台アセンブリを構成する。該手元内部受け台アセンブリは該手元ハウジング１の収容部１１に固定され、中央部スライダー５を手元ハウジング１に備える貫通孔１２に合わせる。該中央部スライダー５は貫通孔１２に合わせた部分に、外部スライダー６が設けられ、該外部スライダー６の両端に、延長部６１をそれぞれ設け、外部スライダー６の外形寸法を貫通孔１２の外形寸法より大きく設ける。該中央部スライダー５の後端に中央部スライダー後端戻りばね５２が設けられている。該手元内部受け台２の後端に収容部１１の延長部１１１に一致する尾部延長部２３が設けられている。該手元内部受け台アセンブリは、ねじ孔１３にねじ（図示せず）をつらぬいて、該手元ハウジング１の収容部１１に締め付けられている。外部スライダー６の底面に少なくとも一つのフックつば６２が設けられ、該フックつば６２は中央部スライダー５の内部のフック穴５３に設けられている。
【００１４】
引き続き、図２を参照する。傘が閉められた状態において、下ろくろ７の穴７１は内部スライダー３の底面のほぞ３１によって係合されるため傘は自動展開されない。これに対して、外部スライダー６を下方に引っ張られると、外部スライダー６によって中央部スライダー５と合わせて後方に駆動される。このとき、中央部スライダー５の底面に備える三角くさび５１の傾斜面５１１は上り坂状態となり、三角くさび５１によって内部スライダー３を下方に移動させ、内部スライダー３底面のほぞ３１と下ろくろ７の穴７１とを引き離す（図３に示す）。傘は傘ばねの働きによって、すばやく展開される。
【実施例２】
【００１５】
図４ないし６、本考案もう一つの実施例の構造を参照する。図４ないし６と図１ないし３に比べて、構造上は大体同じである。異なる点は、内部スライダー３と中央部スライダー５の取付け方向が、図１ないし３に示す実施例とは反対している。この場合、中央部スライダー戻りばねは、該中央部スライダー５の前端に取り付けられて、中央部スライダー前端戻りばね５４となる。本実施例の使用方法は図１ないし３に示す実施例とはちょうど反対である。つまり、傘を開けるときに、外部スライダー６を前方向に移動させる。
【００１６】
図７は本考案の傘が展開された状態の使用状態構造態様図である。図８は本考案の傘を閉められた状態の使用状態構造態様図である。
【符号の説明】
【００１７】
１        手元ハウジング
１１      収容部
１１１    延長部
１２      貫通孔
１３      ねじ孔
２        手元内部受け台
２１      凹み溝
２２      内部ほぞ穴
２３      延長部
３        内部スライダー
３１      ほぞ
３２      ラグ
３３      傾斜面
４        内部スライダー戻りばね
５        中央部スライダー
５１      三角くさび
５１１    傾斜面
２５      戻りばね
５３      フック穴
５４      戻りばね
６        外部スライダー
６１      延長部
６２      フックつば
７        下ろくろ
７１      穴
【図１】
0003162176.tif 000003
【図２】
0003162176.tif 000004
【図３】
0003162176.tif 000005
【図４】
0003162176.tif 000006
【図５】
0003162176.tif 000007
【図６】
0003162176.tif 000008
【図７】
0003162176.tif 000009
【図８】
0003162176.tif 000010
【手続補正書】
【提出日】平成22年6月17日(2010.6.17)
【手続補正１】
【補正対象書類名】実用新案登録請求の範囲
【補正対象項目名】請求項１
【補正方法】変更
【補正の内容】
【請求項１】
手元ハウジングと、手元内部受け台と、内部スライダーと、内部スライダー戻りばねと、中央部スライダーと外部スライダーとを含み、前記手元ハウジングに収容部を備え、前記手元内部受け台に凹み溝を備え、前記内部スライダーは前記凹み溝に設けられ、前記内部スライダーの底部に前記内部スライダー戻りばねが設けられ、前記内部スライダーはおおむねＵ字型を形成し、前記Ｕ字型の開口部は２つの傾斜面を有し、前記Ｕ字型の内部底面は下ろくろの穴に組み込むためのほぞが設けられ、前記内部スライダーのＵ字型の２つの外面にラグをそれぞれ設け、２つの前記ラグは前記凹み溝の両側に前記ラグと呼応する前記ほぞ穴に組み込むことによって、前記内部スライダーを前記凹み溝に固定させ、前記中央部スライダーの底面に２つの三角くさびが設けられ、２つの前記三角くさびに備える傾斜面はＵ字型に備える２つの前記傾斜面に密着させ、前記手元内部受け台、前記内部スライダー、前記内部スライダー戻りばねと前記中央部スライダーによって手元内部受け台アセンブリが形成され、前記手元内部受け台アセンブリは前記手元ハウジングの前記収容部に収容され、かつ中央部スライダーを前記手元ハウジングの貫通孔に合わせ、前記中央部スライダーは前記貫通孔に合わせた位置に外部スライダーが設けられ、前記外部スライダーの両端に延長部をそれぞれ設け、前記外部スライダーの外形寸法は、前記貫通孔の外形寸法より大きく設けることを特徴とする安全プッシュプル構造を備える傘手元。
【手続補正２】
【補正対象書類名】実用新案登録請求の範囲
【補正対象項目名】請求項６
【補正方法】変更
【補正の内容】
【請求項６】
前記外部スライダーの底面は、少なくとも一つのフックつばが設けられ、前記フックつばは前記中央部スライダーのフック穴に引っ掛けられていることを特徴とする請求項５記載の安全プッシュプル構造を備える傘手元。
【手続補正３】
【補正対象書類名】実用新案登録請求の範囲
【補正対象項目名】請求項７
【補正方法】変更
【補正の内容】
【請求項７】
前記フックつばは２つであることを特徴とする請求項６記載の安全プッシュプル構造を備える傘手元。